(57)【要約】【課題】メモリーカード挿入部を配置する箇所の如何に拘わらず、しかも、メモリーカードにメモリーカード抜け防止材を係合するロック係合部を設けなくても、メモリーカードの抜けを確実に防止する。【解決手段】メモリーカード用コネクタ装置１は、メモリーカード２をメモリーカード挿入部３に挿入するとメモリーカード２にメモリーカード抜け防止材４が係合してメモリーカード２のメモリーカード挿入部３からの抜けを防止する構成になっている。メモリーカード抜け防止材４は、メモリーカード挿入部３に挿入したメモリーカードの挿入側の端面（前端面）２ａと反対側の端面（後端面）２ｂに係合してメモリーカード２がメモリーカード挿入部３から抜け出るのを阻止する。【選択図】図１
2007250488.tif 000002
【特許請求の範囲】
【請求項１】
カードコネクタ部とカバー部とからなるコネクタ本体のメモリーカード挿入部に挿入したメモリーカードの前記メモリーカード挿入部からの抜けを防止するメモリーカード抜け防止材を備えたメモリーカード用コネクタ装置であって、前記メモリーカード抜け防止材は、前記カバー部に設けられた弾性を有するアーム部の先端部に形成されていて、前記メモリーカード挿入部に挿入したメモリーカードの後端面に係合して前記メモリーカードがメモリーカード挿入部から抜け出るのを防止することを特徴とするメモリーカード用コネクタ装置。
【請求項２】
前記カバー部は、弾性を有する金属板で形成されていると共に、前記アーム部とメモリーカード抜け防止材は、前記カバー部と一体に形成されていることを特徴とする請求項１に記載のメモリーカード用コネクタ装置。
【請求項３】
カードコネクタ部とカバー部とからなるコネクタ本体のメモリーカード挿入部に挿入したメモリーカードの前記メモリーカード挿入部からの抜けを防止するメモリーカード抜け防止材を備えたメモリーカード用コネクタ装置であって、前記メモリーカード抜け防止材は、前記コネクタ本体を支持している支持プレートの下面側に重ね合わせた弾性を有する板材の先端部に形成されていて、前記支持プレートに設けた孔を介して前記支持プレートの上面側に突出して前記メモリーカード挿入部に挿入したメモリーカードの後端部に係合することを特徴とするメモリーカード用コネクタ装置。
【請求項４】
前記メモリーカード抜け防止材は、合成樹脂板で形成されていることを特徴とする請求項３に記載のメモリーカード用コネクタ装置。
【発明の詳細な説明】
【技術分野】
【０００１】
本発明は、パーソナルコンピュータ等においてメモリーカードを挿入するメモリーカード用コネクタ装置、特に、メモリーカードの抜け防止機構を備えたメモリーカード用コネクタ装置に関するものである。
【背景技術】
【０００２】
メモリーカード抜け防止材によってメモリーカードのメモリーカードホルダからの抜けを防止したメモリーカード用コネクタ装置として、例えば図８、図９に示すように、略コ字状に形成されたカードコネクタ部１０１にカバー部１０２を取り付けることにより形成されたメモリーカードホルダ１０３にメモリーカード１０４を挿入すると、前記カバー部１０２に設けられた板ばね１０５の先端１０５ａが前記メモリーカード１０４に設けた凹部１０６に係合して前記メモリーカード１０４の前記メモリーカードホルダ１０３からの抜けが阻止されるようになっていると共に、前記メモリーカード１０４を更に奥方向に押圧すると、前記板ばね１０５の先端１０５ａと前記凹部１０６の係合が解除されて押出ばねによってメモリーカード１０４が押出されるようにしたイジェクト機構を備えたものが知られている（例えば特許文献１）。
【０００３】
ところで、ＯＡパソコンで使用されるメモリーカードは、挿抜の操作性を重視して、カード自身が機器外観よりも飛び出していて、カードの抜け防止対策をしていない場合が多い。しかし、ＦＡパソコンでは設置環境が悪いこともあり、抜け防止対策を必要とする場合が多い。ＦＡパソコンにおいてメモリーカードを機器外観よりも飛び出させることなく機器の内側に実装する場合には、図１０、図１１に示すように、機器筐体１０７の側壁１０７ａの内面にゴムクッション材等のメモリーカード抜け防止材（以下、ゴムクッション材と称する）１０８を取り付けてメモリーカード１０４の抜けを防止している。ＯＡパソコンのように操作性を重視してカードを機器外観よりも飛び出させたい場合には、押さえが無いために使用に関する制限を付したり、「カードが抜ける場合がある」というような注意が必要になる。ＦＡパソコン用として使用する場合には押さえが必要になる。
【特許文献１】特開２００４−７１１７５号公報
【発明の開示】
【発明が解決しようとする課題】
【０００４】
しかし、図１０、図１１に示すように、機器筐体１０７の直ぐ内側にメモリーカードホルダ１０３を配置する場合には、機器筐体１０７の側壁１０７ａの内面にゴムクッション材１０８を取り付けてメモリーカード１０４の抜けを防止することができるが、機器筐体１０７の側壁の直ぐ内側ではなく、機器筐体１０６の中央部の空きスペース等にメモリーカードホルダ１０３を配置する場合などにおいては、機器筐体１０７の側壁１０７ａの内面にゴムクッション材１０８を取り付けてメモリーカード１０４の抜けを防止することは困難であるために、ゴムクッション材１０８等を取り付けるための専用の部品等が必要となる。
【０００５】
本願発明の目的は、前記従来の問題点を解決し、メモリーカードホルダを配置する箇所の如何に拘わらずメモリーカードの抜けを確実に防止することのできるメモリーカード用コネクタ装置を提供することにある。
【課題を解決するための手段】
【０００６】
請求項１の発明は、カードコネクタ部とカバー部とからなるコネクタ本体のメモリーカード挿入部に挿入したメモリーカードの前記メモリーカード挿入部からの抜けを防止するメモリーカード抜け防止材を備えたメモリーカード用コネクタ装置において、前記メモリーカード抜け防止材を、前記カバー部に設けられた弾性を有するアーム部の先端部に形成し、前記メモリーカード挿入部に挿入したメモリーカードの後端面に係合させて、前記メモリーカードがメモリーカード挿入部から抜け出るのを防止した。
【０００７】
請求項２の発明は、請求項１に記載のメモリーカード用コネクタ装置において、前記カバー部を、弾性を有する金属板で形成すると共に、前記アーム部とメモリーカード抜け防止材を、前記カバー部と一体に形成した。
【０００８】
請求項３の発明は、カードコネクタ部とカバー部とからなるコネクタ本体のメモリーカード挿入部に挿入したメモリーカードの前記メモリーカード挿入部からの抜けを防止するメモリーカード抜け防止材を備えたメモリーカード用コネクタ装置において、前記メモリーカード抜け防止材を、前記メモリーカードホルダのカードコネクタ部を上面側に取付けた支持プレートの下面側に重ね合わせた弾性を有する板材に設け、前記支持プレートに設けた孔を介して前記支持プレートの上面側に突出させて前記メモリーカード挿入部に挿入したメモリーカードの後端部に係合させる構成にした。
【０００９】
請求項４の発明は、請求項３に記載のメモリーカード用コネクタ装置において、前記メモリーカード抜け防止材を設けた板材を合成樹脂板で形成した。
【発明の効果】
【００１０】
（１）請求項１のメモリーカード用コネクタ装置は、メモリーカードをメモリーカード挿入部に挿入したのちに、メモリーカードの後端面に前記メモリーカード抜け防止材を係合させることにより、メモリーカードがメモリーカードホルダから抜け出るのを阻止することができる。メモリーカード抜け防止材をメモリーカードホルダのカバー部に設けたので、メモリーカードホルダを機器筐体の側壁から遠く離れた機器筐体の中央部の空きスペース等に配置する場合でもメモリーカードの抜けを確実、容易に防止することができる。
（２）請求項２のメモリーカード用コネクタ装置は、前記カバー部と一体にアーム部およびメモリーカード抜け防止材を形成したので、メモリーカード抜け防止材をカバー部と独立別個に形成してカバー部に取付ける場合に較べて部品点数の削減と組立工数の削減を図ることができる。
（３）請求項３のメモリーカード用コネクタ装置は、メモリーカード抜け防止材を板材に設け、該板材を前記メモリーカードホルダのカードコネクタ部を上面側に取付けた支持プレートの下面に重ね合わせて取付けると共に、前記支持プレートに設けた孔を介して、前記メモリーカード抜け防止材を、前記支持プレートの上面側に突出させてメモリーカードの挿入側の端部と反対側の端部に係合する構成にしたので、メモリーカードホルダのカバー部にメモリーカード抜け防止材を設ける必要がなくなる。また、必要に応じて前記メモリーカード抜け防止材を設けた板材を交換することができる。
（４）請求項４のメモリーカード用コネクタ装置は、メモリーカード抜け防止材を設けた板材を合成樹脂で形成したので、軽量かつ安価に製造できる。また、金属板で形成する場合に較べて短絡等の危険性を回避できる。
【発明を実施するための最良の形態】
【００１１】
図１〜図３はメモリーカード用コネクタ装置１の第１の実施の形態を示し、図１はメモリーカード２を挿入する前の状態の斜視図、図２はメモリーカードを挿入した後の状態の斜視図、図３は分解斜視図である。
【００１２】
メモリーカード用コネクタ装置１は、メモリーカード２を挿入するコネクタ本体３と、該コネクタ本体３に挿入したメモリーカード２がコネクタ本体３から抜け出るのを阻止するメモリーカード抜け防止材４と、を備えている。
【００１３】
図１に実線で示すように、前記メモリーカード抜け防止材４は、コネクタ本体３へのメモリーカード２の挿入を阻止する位置にある。そして、図１に２点鎖線で示すように、前記メモリーカード抜け防止材４をメモリーカード２の挿入に支障のない位置まで移動させてコネクタ本体３にメモリーカード２を挿入して、前記メモリーカード抜け防止材４を元の位置に戻すと、図２に示すように、前記メモリーカード抜け防止材４がメモリーカード２の挿入側の端面（以下、前端面と称する）２ａと反対側の端面（以下、後端面と称する）２ｂに係合してメモリーカード２がコネクタ本体３から抜け出るのを防止する。
【００１４】
前記コネクタ本体３は、カードコネクタ部１１と、カードコネクタ部１１を覆うように該カードコネクタ部１１に取り付けられたカバー部１２と、からなっていて、前記カードコネクタ部１１とカバー部１２の間に形成されたメモリーカード挿入部１３にメモリーカード２が挿入される。
【００１５】
図３に示すように、前記カードコネクタ部１１は、基部１１ａと、該基部１１ａの両端部から略並行に突出した一対の脚部１１ｂ，１１ｃと、によって平面略コ字状に形成されていて、前記基部１１ａ上には、メモリーカード挿入部１３に挿入されたメモリーカード２の前端部の下面に設けられている複数の端子（図示省略）と夫々接触する複数のコンタクト（図示省略）が設けられている。
【００１６】
前記カバー部１２は、両側部に一対の側壁１２ａ，１２ｂを備えていて、これら一対の側壁１２ａ，１２ｂで前記カードコネクタ部１１の一対の脚部１１ｂ，１１ｃを挟んだ状態で、該カードコネクタ部１１に取り付けられている。前記カバー部１２には、メモリーカード抜出用のイジェクトボタン１４が設けられている。
【００１７】
前記カバー部１２には、前記メモリーカード抜け防止材４が設けられている。前記メモリーカード抜け防止材４は、前記カバー部１２と一体のアーム部１５の先端を略直角に折り曲げることにより形成されている。前記カバー部１２は、ステンレススチール等の薄い金属板材によって形成されている。前記カードコネクタ部１１は、ビス１６によって、プリント基板等の支持プレート１７上に取り付けられている。
【００１８】
次に、前記第１の実施の形態のメモリーカード用コネクタ装置１の作用について説明する。
【００１９】
図１に実線で示すように、メモリーカード抜け防止材４は、メモリーカード挿入部１３へのメモリーカード２の挿入を阻止する位置にある。メモリーカード２を挿入する際には、メモリーカード２の先端部の上面で前記メモリーカード抜け防止材４を、図１に２点鎖線で示すように、メモリーカード２を挿入するのに支障のない位置まで押し上げて、メモリーカード２をメモリーカード挿入部１３に挿入する。メモリーカード２が所定の位置まで挿入され、メモリーカード２の上面から前記メモリーカード抜け防止材４の係合が外れると、図２に示すように、前記メモリーカード抜け防止材４は、アーム部１５の弾性によって元の位置に復帰して、メモリーカード２の後端面２ｂに係合してメモリーカード２がメモリーカード挿入部３から抜け出るのを防止する。メモリーカード２を外すときには、メモリーカード抜け防止材４を持ち上げて、イジェクトボタン１４を押して、メモリーカード２を引き抜く。
【００２０】
図４〜図７はメモリーカード用コネクタ装置の第２の実施の形態を示し、図４はメモリーカード２を挿入する前の状態の斜視図、図５はメモリーカード２を挿入した後の状態の斜視図、図６は分解斜視図、図７は使用状態の断面図である。第２の実施の形態のメモリーカード用コネクタ装置と前記第１の実施の形態のメモリーカード用コネクタ装置との主たる相違点は、メモリーカード抜け防止材４Ａを前記支持プレート１７の下面に重ね合わせた弾性を有する板材１８に設けた点および前記メモリーカード抜け防止材４Ａを前記支持プレート１７に設けた孔１９を介して該支持プレート１７の上面側に突出させた点にある。前記メモリーカード抜け防止材４Ａは、合成樹脂の板材１８にアーム部２０を介して一体に形成されている。
【００２１】
前記板材１８は、ビス２１により前記支持プレート１７の下面に取り付けられていて、前記メモリーカード抜け防止材４Ａが前記支持プレート１７に設けた孔１９を介して支持プレート１７の上面側に突出している。なお、前記カードコネクタ部１１は、支持プレート１７の上面に前記ビス２１によって前記板材１８と所謂共締めされた状態で取り付けられている。
【００２２】
次に、前記第２の実施の形態のメモリーカード用コネクタ装置１の作用について説明する。
【００２３】
図４に実線で示すように、前記メモリーカード抜け防止材４Ａは、前記支持プレート１７の孔１９がら上面側に突出してメモリーカード挿入部１３へのメモリーカード２の挿入を阻止する位置にある。メモリーカード２を挿入する際には、該メモリーカード２の先端部の下面で前記メモリーカード抜け防止材４Ａを、図４に２点鎖線で示すように、メモリーカード２を挿入するのに支障のない位置まで押し下げて、メモリーカード２をメモリーカード挿入部１３に挿入する。メモリーカード２が所定の位置まで挿入され、メモリーカード２の下面から前記メモリーカード抜け防止材４Ａの係合が外れると、図５に示すように、前記メモリーカード抜け防止材４Ａは、アーム部２０の弾性によって元の位置に復帰して、メモリーカード２の後端面２ｂに係合してメモリーカード２がメモリーカード挿入部１３から抜け出るのを防止する。メモリーカード２を外すときには、メモリーカード抜け防止材４Ａを下げて、イジェクトボタン１４を押して、メモリーカード２を引き抜く
【図面の簡単な説明】
【００２４】
【図１】第１の実施の形態のメモリーカード用コネクタ装置の斜視図（メモリーカード挿入前）。
【図２】第１の実施の形態のメモリーカード用コネクタ装置の斜視図（メモリーカード挿入後）。
【図３】第１の実施の形態のメモリーカード用コネクタ装置の分解斜視図。
【図４】第２の実施の形態のメモリーカード用コネクタ装置の斜視図（メモリーカード挿入前）。
【図５】第２の実施の形態のメモリーカード用コネクタ装置の斜視図（メモリーカード挿入後）。
【図６】第２の実施の形態のメモリーカード用コネクタ装置の分解斜視図。
【図７】第２の実施の形態のメモリーカード用コネクタ装置の断面図。
【図８】従来例の分解斜視図。
【図９】メモリーカードの抜けを阻止している状態の斜視図。
【図１０】他の従来例の平面図。
【図１１】他の従来例の側面図。
【符号の説明】
【００２５】
１…メモリーカード用コネクタ装置
２…メモリーカード
３…メモリーカードホルダ
４，４Ａ…メモリーカード抜け防止材
１１…カードコネクタ部
１２…カバー部
１３…メモリーカード挿入部
１７…支持プレート
１８…メモリーカード抜け防止材を設けた板材
１９…メモリーカード抜け防止材が突出する孔
【図１】
2007250488.tif 000003
【図２】
2007250488.tif 000004
【図３】
2007250488.tif 000005
【図４】
2007250488.tif 000006
【図５】
2007250488.tif 000007
【図６】
2007250488.tif 000008
【図７】
2007250488.tif 000009
【図８】
2007250488.tif 000010
【図９】
2007250488.tif 000011
【図１０】
2007250488.tif 000012
【図１１】
2007250488.tif 000013